(57)【特許請求の範囲】
【請求項１】
水中に浮遊させた構造物を水中の所定の位置に移動させる水中構造物の水中移動方法において、前記水中構造物に設けられた複数のワイヤ緊締装置のそれぞれにワイヤを緊締し、該ワイヤのそれぞれを着脱自在に把持するワイヤジョイントに接続し、該ワイヤジョイントに前記ワイヤを伸縮させる水中ジャッキを装着し、水底に複数の水底アンカーを設置し、該水底アンカーそれぞれに緊締されたアンカーワイヤの他端部を前記ワイヤジョイントに緊締し、前記水中ジャッキによって前記複数のワイヤを伸縮させて前記水中構造物を上下方向及び水平方向に移動させることを特徴とする水中構造物の水中移動方法。
【請求項２】
水中に浮遊させた構造物を水中の所定の位置に移動させる水中構造物の水中移動装置において、前記水中構造物に設けられた複数のワイヤ緊締装置のそれぞれにワイヤを緊締し、該ワイヤのそれぞれを着脱自在に把持するワイヤジョイントに接続し、該ワイヤジョイントに前記ワイヤを伸縮させる水中ジャッキを装着し、水底に複数の水底アンカーを設置し、該水底アンカーそれぞれに複数のアンカーワイヤを緊締し、該それぞれのアンカーワイヤの端部を前記ワイヤジョイントに緊締したことを、特徴とする水中構造物の水中移動装置。
【発明の詳細な説明】
【０００１】
【発明の属する技術分野】
本発明は、水中に浮遊させた構造物を水中の所定の位置に移動させる水中構造物の水中移動方法において、特に水中構造物の固定のための水中移動及び仮設時の移動等の水中移動方法及び装置に関する。
【０００２】
【従来の技術】
従来、沈埋トンネルやその他ケーソンの水中設置は、構造物をクレーン船で水中に吊りながら移動するか、または浮上させて台船等に繋ぎ曳航して、目的地で注水等により水沈させクレーン船または、台船等で吊り下げながら設置していた。しかしながら、このような従来の方法では、吊り下げるクレーン船または台船が必要になるため、海面上を占有し、航路等がある場合は作業占有域を確保する必要があった。
【０００３】
【発明が解決しようとする課題】
本発明は上記に鑑みてなされたもので、航路等の海面上を占有することなく、水中に構造物を設置する水中構造物の水中移動方法と装置の提供を目的としている。
【０００４】
【課題を解決するための手段】
本発明の水中構造物の水中移動方法によれば、水中に浮遊させた構造物を水中の所定の位置に移動させる水中構造物の水中移動方法において、前記水中構造物に設けられた複数のワイヤ緊締装置のそれぞれにワイヤを緊締し、該ワイヤのそれぞれを着脱自在に把持するワイヤジョイントに接続し、該ワイヤジョイントに前記ワイヤを伸縮させる水中ジャッキを装着し、水底に複数の水底アンカーを設置し、該水底アンカーそれぞれに緊締されたアンカーワイヤの他端部を前記ワイヤジョイントに緊締し、前記水中ジャッキによって前記複数のワイヤを伸縮させて前記水中構造物を上下方向及び水平方向に移動させる。
【０００５】
また、本発明の水中構造物の水中移動装置によれば、水中に浮遊させた構造物を水中の所定の位置に移動させる水中構造物の水中移動装置において、前記水中構造物に設けられた複数のワイヤ緊締装置のそれぞれにワイヤを緊締し、該ワイヤのそれぞれを着脱自在に把持するワイヤジョイントに接続し、該ワイヤジョイントに前記ワイヤを伸縮させる水中ジャッキを装着し、水底に複数の水底アンカーを設置し、該水底アンカーそれぞれに複数のアンカーワイヤを緊締し、該それぞれのアンカーワイヤの端部を前記ワイヤジョイントに緊締している。
【０００６】
上記の発明によれば、水中構造物に設けられたワイヤ緊締装置に緊締され水中のワイヤジョイントで把持された複数のワイヤの寸法を水中ジャッキで伸縮すれば、ワイヤジョンイと予め設置した特定の水底アンカーに緊締されたアンカーワイヤによって水底位置が特定され、水中構造物を垂直方向にも水平方向にも移動させることができる。水平方向への移動を大きくするには、アンカーワイヤの緊締を別の遠方の水底アンカーに換えることで行うことができる。
【０００７】
【発明の実施の形態】
以下図面を参照して本発明の実施の形態を説明する。図１において、水中Ｄ１に浮遊する円筒状の水中構造物が所定深さに引き込まれて実線で示す水中構造物１となり、さらに所定位置Ｆ１に水平移動した移動状態を示している。ワイヤ緊締の全体を示す図４をも参照して水中移動装置を説明する。なお、水中移動装置は、ワイヤを主にした同じ構成と機能を持つ構成体を１単位の移動装置として位置と方向を変えて取り付けているので、図１〜図４に示す１つの移動装置ＲＣを代表例として説明する。
【０００８】
水中構造物１の前後にワイヤ緊締部２Ｆ、２Ｒが設けら、また、図２に示すように、ワイヤ緊締部２Ｆ、２Ｒの対称位置にワイヤ緊締部がそれぞれ設けられている。ワイヤ緊締部２Ｒは、図４に示されるように、底面が内方に傾斜した内方緊締部２ａと外方前後にそれぞれ傾斜した１対の外方緊締部２ｂが形成されている。
【０００９】
内方緊締部２ａには、４個のワイヤ緊締装置３が固定され、４本のワイヤ４がワイヤ緊締装置３に緊締されている。そのワイヤ４は、図５〜図７に示されるように、ワイヤジョイント５の端部に形成されたテーパ孔５ａと中空円錐状の３分割クサビ５ｂとで構成される緊索部５Ａで着脱即ち、緊緩自在に把持され、ワイヤジョイント５に付設された４個の水中ジャッキ６のそれぞれに接続されている。水中ジャッキ６に接続されたワイヤ４はここでまた、円錐状孔を有するケース６ａと中空円錐状の３分割クサビ６ｂとで構成される緊索部６Ａで緊緩自在に把持されている。そして水中ジャッキ６の軸方向往復移動の繰り返しによって、緊索部５Ａと緊索部６Ａとが緊と緩を一体的に作用してワイヤ４を水中構造物１の方向に送り出し、または引き寄せるよう構成されている。水中ジャッキ６を作動させる動力は、図示されないパイプによって水面Ｗ上の図示されない作業用の台船から供給されるようになっている。なお、図６は図５のＸ矢視、図７はＹ矢視を示している。
【００１０】
また、予め水底Ｂに設置した水底アンカー固定体８にアンカーワイヤ緊締装置９が固定され、そのアンカーワイヤ緊締装置９に緊締された４本のアンカーワイヤ１０が、ワイヤジョイント５のストッパ１１で緊締されている。
【００１１】
図８〜図１２は、４本のアンカーワイヤ１０が水底アンカーである水底アンカー固定体８に簡便に緊締されるアンカーワイヤ緊締装置９の部品構成を示している。図８〜図１０は、アンカーワイヤ１０の端部を緊束する円筒状のワイヤ緊束装置９Ａを示している。図９は、Ｘ矢視、図１０はＹ矢視図である。符号９Ｂ、９Ｃはワイヤーカバーであり、特にワイヤカバー９Ｂはアンカワイヤ１０の突出寸法を揃えるようになっている。図１１及び図１２はワイヤ緊束装置９Ａを嵌合させるジョイント体９ａと嵌合の脱落を防止する脱落防止金具９ｂを示している。ジョイント体９ａは内部にワイヤ緊束装置９Ａを遊嵌させる嵌合孔９ｄと、嵌合孔９ｄの端部を縮径した肩孔９ｃが設けられている。そして、嵌合孔９ｄと肩孔９ｃは、側面が外部に開放されワイヤ緊束装置９Ａが側面から嵌入できる嵌入窓９ｅが形成されている。また、嵌合孔９ｄ内で緊束装置９Ａが回動可能になっている。また、肩窓９ｃがワイヤ緊束装置９Ａの抜けをとめるような小径と成っている。脱落防止金具９ｂは、嵌合されたワイヤ緊束装置９Ａが側方に脱落せぬよう嵌入後に包覆し螺結するよう形成されている。上記のアンカーワイヤ緊締装置９は、ジョイント体９ａだけが水底アンカー固定体８に固定されその他の部品はアンカワイヤ１０の緊締時に取り付けられるようになっている。
【００１２】
上記構成装置の作用を図１〜図４及び図１３、図１４を参照して水中位置Ｄ１の構造物１を水中の特定位置Ｆ１に移動させる方法で説明する。構造物１の前後左右に設けられた４個のワイヤ緊締部のそれぞれに３組の移動装置を取り付ける。図１の後部左側のワイヤ締結部２Ｒに締結装置ＲＣを取り付ける場合を例として説明する。ワイヤ緊締部２Ｒの内方緊締部２ａに４個のワイヤ緊締装置３を固定し、ワイヤ緊締装置３のそれぞれにワイヤ４が緊締される（図４参照）。ワイヤ４の長さは水深及び水底アンカー固定体の位置を勘案して決定する。ワイヤ４はワイヤジョイント５と水中ジャッキ４を通って余裕分は水中に吊り下げる。この時、ワイヤジョイント５では緊索部５Ａで、水中ジャッキ６では緊索部６Ａで着脱自在に把持されている。
【００１３】
一方、構造物１を設置する位置及び経路になる水底Ｂに水底アンカー固定体８を設置する。そして、水底アンカー固定体８に装着されたジョイント体９ａにアンカーワイヤ１０を緊束した緊束装置９Ａを嵌合させ脱落防止金具９ｂで包覆する。次に、水底アンカー固定体８に緊締されたアンカーワイヤ１０の他端部を、ワイヤジョイント５にストッパ１１で固着する。なお、アンカーワイヤ１０は先にワイヤジョイント５にストッパ１１で固着し、後でワイヤ緊締装置９に緊締してもよい。
【００１４】
上記によって、構造体１と水底アンカー固定体とがワイヤ連結される。この作業は、１個のワイヤ緊締部について３個所に、図３では、ワイヤ緊締部２Ｒには内方の移動装置ＲＣ、外方前方の移動装置ＲＡ、外方後方の移動装置ＲＢについて行われる。図１においては、移動装置ＲＡ、ＲＢ、ＲＣは水底アンカー固定体２８、１８、８で緊締されている。そして、残りの３個所のワイヤ緊締部についても同様に実施する。
【００１５】
次に構造体１の水中移動方法を説明する。図１及び図１３に示すように、水中位置Ｄ１の構造物１を、垂直方向で水中位置１と同等の深さに移動させるには、全ワイヤを水中ジャッキによって水底側に引き込み短縮させる。移動装置ＲＣであればワイヤ４を水中ジャッキ６によって引き込み短縮させる。次に位置１をＦ１への前方水平移動では、前方のワイヤを短縮し後方のワイヤを繰り出し延長させて前進させる。図１では、ワイヤ緊締部２Ｒ→Ｄ２Ｒ、２Ｆ→Ｄ２Ｆの移動には、水底固定アンカー２８、８及び２８ｆ、８ｆにかかわるワイヤ４を短縮し、１８及び８にかかわるワイヤ４を伸長させる。構造物１の長さが２５ｍで、水平前進２ｍにするには外方前方の水低アンカー固定体例えば２８と外方後方の水底アンカー固定体１８の距離は３ｍ程度がよい。図１３及び図１４は、既設の水中構造物Ｋ１に新構造物１を接合する状態を示したもので、図１３は側面図、図１４は上面図である。図１によって説明したように、新構造物１を既設構造物Ｋ１の高さレベルに合わせた後に接合させる。接合のための水平移動距離は、２ｍとしている。
【００１６】
次に、左右方向の水平移動は図２のように、ワイヤ緊締部２Ｒと水底アンカー固定体１８、２８を短縮し、水底アンカー固定体８を伸長させれば左方向に移動する。構造物の外径が４ｍでは水底アンカー固定体８〜１８、２８間距離は４ｍ程度がよい。また、移動距離がさらに大の場合は、水底アンカー固定体をつかみ換えながら行う。実作業では、上記の垂直水平前後、左右方向移動を組み合わせて移動させることが可能である。
【００１７】
このようにして水中トンネル同志を接続した後に水中ジャッキを撤去してワイヤジョイントを固定し、水中トンネルを構築することができる。
【００１８】
【発明の効果】
以上の通り本発明によれば、構造物の水中移動で垂直移動のほかに、特に、水底を這うように移動させるので、予め水底に水底アンカーを設置しておけば、航路等から離れた場所から水中移動ができ、海面域に支障をきたすことなく、水中構造物を設置することができる。
【図面の簡単な説明】
【図１】本発明の水中構造物の水中移動方法と装置の実施形態を示す側面図。
【図２】図１の後面図。
【図３】図１及図２の索繋を示す斜視簡略図。
【図４】水中移動装置を示す組み付け図。
【図５】図１のワイヤジョイント装置及び水中ジャッキの組み付け図。
【図６】同上の正面図。
【図７】同上の後面図。
【図８】アンカーワイヤ端部の側面図。
【図９】同上の前面図。
【図１０】同上の後面図。
【図１１】アンカーワイヤジョイント部側面図。
【図１２】同上の正面図。
【図１３】既設構造物との関係を示す側面図。
【図１４】同上の上面図。
【符号の説明】
Ｂ・・・水底
Ｗ・・・水面
１・・・水中構造物
２・・・ワイヤ緊締部
２ａ・・内方緊締部
２ｂ・・外方緊締部
３・・ワイヤ緊締装置
４・・ワイヤ
５・・ワイヤジョイント
６・・・水中ジャッキ
８、１８・・水底アンカー固定体
９・・・アンカーワイヤ緊締装置
９Ａ・・ワイヤ緊束装置
９Ｂ・・カバー
９Ｃ・・カバー
９ａ・・ジョイント体
９ｂ・・脱落防止金具
９ｃ・・肩孔
９ｄ・・嵌合穴
９ｅ・・嵌合窓
１０・・アンカーワイヤ
１１・・ストッパ
１３・・ワイヤ緊締装置
【図１】
0003973119.tif 000002
【図２】
0003973119.tif 000003
【図３】
0003973119.tif 000004
【図４】
0003973119.tif 000005
【図５】
0003973119.tif 000006
【図６】
0003973119.tif 000007
【図７】
0003973119.tif 000008
【図８】
0003973119.tif 000009
【図９】
0003973119.tif 000010
【図１０】
0003973119.tif 000011
【図１１】
0003973119.tif 000012
【図１２】
0003973119.tif 000013
【図１３】
0003973119.tif 000014
【図１４】
0003973119.tif 000015